(57)【要約】【課題】公共、私設の場所や施設等において空間を禁煙区域と喫煙区域とを分割する分煙対策のための喫煙装置において、使い勝手が良く実用的な空間分煙対策用喫煙装置を提供する。【解決手段】内部に喫煙空間１４を画成するフレーム１２と、フレーム１２に支持されて喫煙空間の側方を包囲する側壁１６〜１９と、側壁の一部に設けられたドア１６と、喫煙空間１４内に配置されて、屋外と連通するダクト４０及び屋外排気設備に連通可能となった吸引口を備えた吸引装置３０と、を備え、喫煙空間１４の収容定員は一名となっており、フレーム１２上端または側壁上端によって包囲される天井面が７０％以上の開口率で開口されており、フレーム１２下端または側壁下端と設置面との間には隙間２２が形成される。【選択図】図１
2010127056.tif 000002
【特許請求の範囲】
【請求項１】
禁煙区域と喫煙区域とを分割するべき屋内空間に設置されて、喫煙区域を画成するための空間分煙対策用喫煙装置であって、
内部に喫煙空間を画成するフレームと、フレームに支持されて前記喫煙空間の側方を包囲する側壁と、前記側壁の一部に設けられたドアと、前記喫煙空間内に配置されて、屋外と連通するダクト及び屋外排気設備に連通可能となった吸引口を備えた吸引装置と、を備え、前記喫煙空間の収容定員は一名となっており、フレーム上端または側壁上端によって包囲される天井面が７０％以上の開口率で開口されており、前記フレーム下端または前記側壁下端と設置面との間には隙間が形成されることを特徴とする空間分煙対策用喫煙装置。
【請求項２】
前記喫煙空間の横断面は、一辺が１ｍ以下の矩形形状であることを特徴とする請求項１記載の空間分煙対策用喫煙装置。
【請求項３】
前記フレームの下部には、設置面を転動可能なキャスタが設けられることを特徴とする請求項１または２記載の空間分煙対策用喫煙装置。
【請求項４】
前記吸引装置は、カウンタ部分と、カウンタ部分から上方へと立設される支柱部分と、支柱部分に連結されて支柱部分よりも水平方向に広がりを持ったフード部分と、ダクト連結部と、を有することを特徴とする請求項１ないし３のいずれか１項に記載の空間分煙対策用喫煙装置。
【請求項５】
前記フード部分には、下方から上方に向かって湾曲する湾曲面が形成されて、フード部分の湾曲面の上部に吸引口が設けられることを特徴とする請求項４記載の空間分煙対策用喫煙装置。
【発明の詳細な説明】
【技術分野】
【０００１】
本発明は、公共、私設の場所や施設等において屋内空間を禁煙区域と喫煙区域とに分割する分煙対策のための喫煙装置に関する。
【背景技術】
【０００２】
近年、公共、私設の場所や施設等において屋内空間を禁煙区域と喫煙区域とに分割するための分煙対策が推進されている。
【０００３】
例えば、非特許文献１では、分煙対策実態調査結果が報告されている。その報告では、喫煙室を設けるスペースがない事業場における喫煙室として、上方吸引式喫煙コーナーや喫煙ボックスの事例が挙げられている。上方吸引式喫煙コーナーは、主として、ダクト端部に設けられたフードをスクリーンで取り囲むことにより喫煙空間を形成している。また、喫煙ボックスは、フレームとフィルムを用いて作成したボックスを床上に設置し、ボックス内に排気装置を設置してボックス外にあるダクトに接続するものである。出入口には、スクリーンを垂らして、スクリーンより下部は開口部分を設けて、開口部分で外部からボックス内への空気の流れを通過させている。
【０００４】
【非特許文献１】厚生労働省  平成１７年度「効果的な空間分煙対策推進検討委員会」報告書第２章「分煙対策実態調査」、インターネット＜ＵＲＬ：http://www.mhlw.go.jp/topics/tobacco/houkoku/060300a.html＞
【発明の開示】
【発明が解決しようとする課題】
【０００５】
本発明は、かかる喫煙ボックスをさらに発展させた、使い勝手が良く実用的な空間分煙対策用喫煙装置を提供することを目的とする。
【課題を解決するための手段】
【０００６】
上記目的を達成するために、本発明の請求項１記載の発明は、禁煙区域と喫煙区域とを分割するべき屋内空間に設置されて、喫煙区域を画成するための空間分煙対策用喫煙装置であって、
内部に喫煙空間を画成するフレームと、フレームに支持されて前記喫煙空間の側方を包囲する側壁と、前記側壁の一部に設けられたドアと、前記喫煙空間内に配置されて、屋外と連通するダクト及び屋外排気設備に連通可能となった吸引口を備えた吸引装置と、を備え、前記喫煙空間の収容定員は一名となっており、フレーム上端または側壁上端によって包囲される天井面が７０％以上の開口率で開口されており、前記フレーム下端または前記側壁下端と設置面との間には隙間が形成されることを特徴とする。
【０００７】
請求項２記載の発明は、請求項１記載の前記喫煙空間の横断面の一辺が１ｍ以下の矩形形状であることを特徴とする。
【０００８】
請求項３記載の発明は、請求項１または２記載の前記フレームの下部に、設置面を転動可能なキャスタが設けられることを特徴とする。
【０００９】
請求項４記載の発明は、請求項１ないし３のいずれか１項に記載の前記吸引装置が、カウンタ部分と、カウンタ部分から上方へと立設される支柱部分と、支柱部分に連結されて支柱部分よりも水平方向に広がりを持ったフード部分と、ダクト連結部と、を有することを特徴とする。
【００１０】
請求項５記載の発明は、請求項４記載の前記フード部分に、下方から上方に向かって湾曲する湾曲面が形成されて、フード部分の湾曲面の上部に吸引口が設けられることを特徴とする。
【発明の効果】
【００１１】
本発明によれば、喫煙空間内で喫煙者が喫煙を行うと、煙が吸引装置の吸引口に吸引され、屋外へと排気される。
【００１２】
本発明の空間分煙対策用喫煙装置は喫煙空間の収容定員が一名となっており、小型に構成することができるので、屋内空間のデッドスペースを利用して、装置を設置することができ、屋内空間のレイアウト変更に対応して、装置を簡単に移動することができる。
【００１３】
また、天井面が７０％以上の開口率で開口されているため、消防法や建築基準法の適用を受けることがなく，屋内空間に設置しているスプリンクラーの散水範囲に、本発明の空間分煙対策用喫煙装置を設置することができるので、装置自体にスプリンクラーや自動火災報知器を設置する必要がなく、装置を簡単に構成することができ、低コストで製造することができる。
【００１４】
請求項２記載の発明によれば、横断面をその一辺が１ｍ以下の矩形形状とすることにより、収容定員一名とし、収容定員一名を越えて二人以上の喫煙者が喫煙空間に入って喫煙することを防ぎ、吸引装置の吸引能力を超えた喫煙がなされることを防ぐことができ、開放された喫煙空間の上方及び下部隙間から煙が外部に漏れることを確実に防ぐことができる。
【００１５】
請求項３記載の発明によれば、キャスタを利用して、空間分煙対策用喫煙装置を簡単に移動することができるので、屋内空間のレイアウト変更に柔軟に対応することができる。
【００１６】
請求項４記載の発明によれば、吸引装置のフード部分により、開放された喫煙空間の上方から煙が外部に漏れることを確実に防ぐことができる。
【００１７】
請求項５記載の発明によれば、煙をフード部分の湾曲面に沿って誘導して、湾曲面より上部にある吸引口から吸引することができる。湾曲面によって吸引装置にデザイン的要素を与えることができる。
【発明を実施するための最良の形態】
【００１８】
以下、図面を用いて本発明の実施の形態を説明する。
図１〜図７は、本発明による空間分煙対策用喫煙装置を表す図である。
【００１９】
図において、この空間分煙対策用喫煙装置１０は、禁煙区域と喫煙区域とを分割するべき屋内空間に設置されて喫煙区域を画成するためのものであって、公共、私設の場所や施設等に設置される。例えば、ゲームセンターやボーリング場などの娯楽施設などに好適である。
【００２０】
この空間分煙対策用喫煙装置１０は、フレーム１２を有しており、フレーム１２内部には、喫煙空間１４が画成される。
【００２１】
フレーム１２は、直方体形状に組み立てられており、横断面で矩形形状となっている。横断面は、好ましくは一辺が１ｍ以下の矩形形状とするとよく、さらに好ましくは正方形状となっている。よって、喫煙空間１４の断面積は、１ｍ２以下となっており、その収容定員は一名となっている。但し、フレーム１２の形状は直方体形状に限らず、円柱、楕円柱、多角柱形状等の任意の形状とすることができる。
【００２２】
喫煙空間１４の側方に相当する四方部分には側壁１６、１７、１８、１９が設けられて、フレーム１２に支持される。側壁１６〜１９は、強化ガラス、ポリカーボネート等の硬質樹脂等からなる透明面部材１６ａ〜１９ａと、その周縁の額縁部分１６ｂ〜１９ｂとで構成され、フレーム１２に対して、額縁部分１６ｂ〜１９ｂがほぼ隙間のないように取り付けられる。
【００２３】
側壁１６〜１９のうちの正面側の側壁１６は、ドアハンドル１６ｃを備えたドアとなっており、ヒンジ１６ｄを介して開閉可能にフレーム１２に取り付けられる。ドアを開けると、正面側壁部分が完全に開放可能となっている。
【００２４】
喫煙空間１４の上方のフレーム１２によって包囲される天井面は、中間フレーム１２ａを除き開放されており、その開口率はほぼ１００％となっている。しかし、必ずしも開口率は１００％である必要はなく、飾り天井などを設けることは可能であるが、そのような場合でも、天井面の開口率は７０％以上となるようにする。
【００２５】
フレーム１２の下部にはキャスタ２０が取り付けられており、キャスタ２０は、空間分煙対策用喫煙装置１０が設置される設置面を転動可能となっている。また、フレーム１２と設置面との間には下部隙間２２が形成されている。
【００２６】
図４示のように、喫煙空間１４内には、背面寄りに吸引装置３０が配置される。吸引装置３０は、大別して、カウンタ部分３２と、カウンタ部分３２から上方へと立設される支柱部分３４と、支柱部分３４に連結されて支柱部分３４よりも水平方向に広がりを持ったフード部分３６と、ダクト連結部３８と、を有しており、フレーム１２の上下中間部分に配設された中間フレーム１２ａ及びフレーム１２の上部の中間部分に配設された中間フレーム１２ａ（図６）に支持されている。
【００２７】
カウンタ部分３２には灰皿３２ａが形成される。支柱部分３４は、カウンタ部分３２の中央背面寄り部分から上方へと延びている。フード部分３６は、下方から上方にかけて湾曲し且つ正面側に突出した一対の湾曲突出面３６ａを有している。
【００２８】
支柱部分３４、フード部分３６及びダクト連結部３８の適宜個所には吸引口が形成される。例えば、図５に示すように、支柱部分３４及びダクト連結部３８の側面に１つ以上の吸引口３４ａ、３８ａが形成される。また、図４，５に示すように、フード部分３６の湾曲突出面３６ａの外側面、内側面及び正面に複数の吸引口３６ｂが形成される。各吸引口３４ａ、３６ｂは、支柱部分３４及びフード部分３６の内部を通りダクト連結部３８を通りダクト４０へと連通している。
【００２９】
ダクト連結部３８は、フード部分３６の上側に設けられており、空間分煙対策用喫煙装置１０外部に配設されるダクト４０に連結される。ダクト４０は、空間分煙対策用喫煙装置１０が設置される屋内空間の天井裏等を通り、屋外へと連通している。ダクト４０の途中には、図示しない換気扇といった屋外排気設備が設けられ、これによって、ダクト４０と吸引装置３０を介して喫煙空間１４は、空間分煙対策用喫煙装置１０外部に対して負圧となる。
【００３０】
吸引装置３０は様々なデザイン的要素を備えており、例えば、前記湾曲突出面３６ａ等を含む形状及びその色彩はデザイン化されている。また、カウンタ部分３２にはＬＥＤカバー３２ｃが設けられ、支柱部分３４には化粧板３４ｃが設けられて、これらＬＥＤカバー３２ｃ及び化粧板３４ｃにより、カウンタ部分３２及び支柱部分３４にスリット３２ｂ、３４ｂが形成されている。該スリット３２ｂ、３４ｂ内にはＬＥＤランプ４２（図７参照）が配設されて、ＬＥＤランプが発光することにより、該スリット３２ｂ、３４ｂ全体が発光するようになっている。
【００３１】
また、透明面部材１７ａ、１８ａには、適宜、透過スクリーン１７ｃ、不透明スクリーン１８ｃが貼付されており、該スクリーンには、図示しないプロジェクタによる映像が投影可能となっている。
【００３２】
以上のように構成される空間分煙対策用喫煙装置１０においては、喫煙空間１４の横断面積が１ｍ２以下であり、収容定員一名で、喫煙空間１４内に成人一人は入ることができるが、二人以上は入ることが困難なスペースとなっている。
【００３３】
喫煙者がドア１６から喫煙空間１４に入り喫煙をすると、その煙、粉塵は吸引口３４ａ、３６ｂから吸引されて、ダクト４０を通り屋外へと排気される。
【００３４】
煙は上方へと立ち上るが、フード部分３６によって喫煙空間１４から上方へと逃げることが防止されて、吸引口３４ａ、３６ｂに吸引される。湾曲突出面３６ａは、煙の誘導面として機能することができ、湾曲突出面３６ａで誘導された煙は、フード部分３６の正面及び上側正面に形成された吸引口３６ｂから吸い込まれる。
【００３５】
また、吸引口３４ａ、３６ｂを介して喫煙空間１４に負圧が導入されるために、下部隙間２２を通して外部の禁煙区域から喫煙空間１４への空気の流れを発生させることができる。よって、喫煙空間１４から禁煙区域への煙、粉塵の流出を防止することができる。
【００３６】
前述のように吸引装置３０は様々なデザイン的要素を備えているので、喫煙者が一人であっても興味を喚起されながら、喫煙空間１４内に入ることができる。また、透過、不透明スクリーン１７ｃ、１８ｃに投影される映像を楽しむことができる。映像としては、イメージ映像、又は広告若しくは宣伝映像とすることができる。映像は、空間分煙対策用喫煙装置１０外部にいる人も閲覧可能である。
【００３７】
以上の空間分煙対策用喫煙装置１０は小型であるために、屋内空間のデッドスペースを利用して、空間分煙対策用喫煙装置１０を設置することができる。また、屋内空間のレイアウト変更に柔軟に対応して、キャスタ２０により設置面上を転動させて、空間分煙対策用喫煙装置１０を簡単に移動することができる。この場合、ダクト４０は連結し直すか、ダクト４０のフレキシブル性を利用してダクト４０を追従させることも可能である。
【００３８】
また、空間分煙対策用喫煙装置１０は十分に小型であり喫煙空間１４の収容定員は一名となっているために、収容定員一名を越えて二人以上の喫煙者が喫煙空間１４に入ることは困難となっている。これに対して収容定員が二名以上となると、喫煙空間の余裕分も大きくなり、収容定員を越えて喫煙者が入ることが可能になってしまう。本発明の空間分煙対策用喫煙装置１０では定員が守られるために、吸引装置３０の吸引能力を超えた喫煙がなされることを防ぐことができ、開放された喫煙空間１４の上方及び下部隙間２２から煙、粉塵が外部に漏れることを確実に防ぐことができる。
【００３９】
また、喫煙空間１４の上方が開放されており、天井面の開口率が７０％以上となっているので、消防法や建築基準法の適用を受けることがない。屋内空間に設置しているスプリンクラーの散水範囲に、本発明の空間分煙対策用喫煙装置１０を設置することができるので、空間分煙対策用喫煙装置１０自体にスプリンクラーや自動火災報知器を設置する必要がなく、簡単に構成することができる。
【００４０】
このように、本発明の空間分煙対策用喫煙装置１０は使い勝手のよいものとなる。
【００４１】
尚、吸引装置３０の外形は上記のようなデザインに限らず、図８に示すような自然を模した形状などにすることもでき、癒し感を与えることもできる。
【図面の簡単な説明】
【００４２】
【図１】本発明による空間分煙対策用喫煙装置の側壁及び一部のフレームを省略した内部の斜視図である。
【図２】図１の空間分煙対策用喫煙装置の正面図である。
【図３】図１の空間分煙対策用喫煙装置の側面図（右側面、左側面）である。
【図４】図１の空間分煙対策用喫煙装置の内部を示す縦断面図である。
【図５】図４の５−５線に沿って見た断面図である。
【図６】図１の空間分煙対策用喫煙装置の平面図である。
【図７】図１の空間分煙対策用喫煙装置の内部を示す横断面図である。
【図８】図１の空間分煙対策用喫煙装置の吸引装置の他の例を表す図５相当断面図である。
【符号の説明】
【００４３】
１０  空間分煙対策用喫煙装置
１２  フレーム
１４  喫煙空間
１６  側壁（ドア）
１７〜１９  側壁
２０  キャスタ
２２  下部隙間
３０  吸引装置
３２  カウンタ部分
３４  支柱部分
３４ａ  吸引口
３６  フード部分
３６ａ  湾曲面
３６ｂ  吸引口
４０  ダクト
【図１】
2010127056.tif 000003
【図２】
2010127056.tif 000004
【図３】
2010127056.tif 000005
【図４】
2010127056.tif 000006
【図５】
2010127056.tif 000007
【図６】
2010127056.tif 000008
【図７】
2010127056.tif 000009
【図８】
2010127056.tif 000010